(57)【要約】【課題】本発明は、吸気管の経路や太さを変更することで共鳴効果によって加給性能を高めるエンジンの吸気装置であって、コストやレイアウトスペースを増加させることなく、中回転域のトルクの落ち込みを防止してドライブフィーリングの悪化を防止して、また、高回転域でエンジン出力を高めることができるエンジンの吸気装置を提供することを目的とする。【解決手段】中回転域では、矢印で示すように、吸気通路内の脈動波がレゾネータ容積部３で反転して、分離隔壁７を介して共鳴する。この共鳴効果によって、中回転域でも吸気を加給することができる。高回転域では、レゾネータ容積部３がサージタンクとして機能する。【選択図】図１
2008169696.tif 000002
【特許請求の範囲】
【請求項１】
気筒列方向に所定長さを有するサージタンク部と、該サージタンク部の長手方向に並んで各気筒に繋がる分岐管部と、該サージタンク部の長手方向の一端側に連通する上流吸気通路部とを備えるエンジンの吸気装置において、
前記サージタンク部の分岐管部との連通側と反対側に、所定の容積を有する容積室を設け、
前記上流吸気通路部の内部に、一方通路を前記サージタンク部の一端側に連通して、他方通路を前記容積室の一端側に連通する所定長さを有する分離隔壁を設け、
前記容積室と前記サージタンク部との間に、両者の内部空間を、連通状態と非連通状態とに切替える切替え弁を設け、
低回転域では前記サージタンク部と容積室とを非連通状態となるように切替え弁を制御し、前記一方通路からの吸気のみを気筒に送るように設定して、中回転域ではサージタンク部と容積室とを非連通状態となるように切替え弁を制御し、前記一方通路からの吸気を前記容積室の共鳴効果によって加給して気筒に送るように設定して、高回転域ではサージタンク部と容積室とを連通状態となるように切替え弁を制御し、一方通路と他方通路からの吸気を全て気筒に送るように設定した制御手段を設けた
エンジンの吸気装置。
【請求項２】
前記容積室を、サージタンク部の長手方向に沿って並設して、
前記切替え弁を、サージタンク部の長手方向に延びる軸線を中心に回動するロータリーバルブで構成した
請求項１記載のエンジンの吸気装置。
【請求項３】
前記分岐管部を、Ｖバンクの一方のバンク用の第一分岐管部と、他方のバンク用の第二分岐管部とで構成し、該第一分岐管部と第二分岐管部を上下方向に重ねて配置し、
前記サージタンク部を、一方のバンク用の第一サージバンク部と他方のバンク用の第二サージタンク部とで構成し、該第一サージタンク部と第二サージタンク部を仕切り壁を介して重ねて配置し、
前記容積室を、第一サージタンク部と第二サージタンク部とで共用して１つで構成し、
前記ロータリーバルブを１つで構成し、前記第一サージタンク部及び第二サージタンク部と容積室との間を遮断するように構成した
請求項２記載のエンジンの吸気装置。
【請求項４】
前記仕切り壁に、前記一方通路内で、所定長さ上流側に延設する延設部を設けた
請求項３記載のエンジンの吸気装置。
【請求項５】
上流吸気通路部に、上流側を気筒列方向と略直交する方向に屈曲させる屈曲部を形成して、
該屈曲部の内周側に前記一方通路を配置して、該屈曲部の外周側に前記他方通路を配置した
請求項１〜４いずれか記載のエンジンの吸気装置。
【発明の詳細な説明】
【技術分野】
【０００１】
この発明は、エンジンの吸気装置に関し、特に、吸気管の経路や太さを変更することで、共鳴効果によって加給性能を高めるエンジンの吸気装置に関する。
【背景技術】
【０００２】
従来より、エンジンの吸気装置において、エンジンの運転状態に応じて吸気通路の経路や太さを切換えることで、吸気通路内で生じる脈動波を利用して、共鳴効果や慣性効果によって加給を行なうものが知られている。
【０００３】
例えば、下記先行文献１には、サージタンクと吸気管と分岐管とで吸気通路を構成し、分岐管の上流と下流に、第一弁、第二弁を配設して、これらの弁をエンジン回転数に応じて開閉させることで、低回転時には吸気管からのみ吸気を導入して、高回転時には吸気管と分岐管の両方から吸気を導入するエンジンの吸気装置が開示されている。
【０００４】
このエンジンの吸気装置によると、低回転時には、共鳴効果により吸気の充填効率が高まり、高回転時には、吸気抵抗が下がるため慣性効果によりエンジン出力を高めることができる。
【特許文献１】特開２００４−６８６２５号公報
【発明の開示】
【発明が解決しようとする課題】
【０００５】
ところで、エンジン出力を高める場合には、できるだけ全領域において、トルクを高めることが望ましい。また、高回転域においては、より慣性効果を高めてエンジン出力を高めることが望まれる。
【０００６】
この点、前述の特許文献１では、エンジン回転数に応じて弁を開閉して、吸気通路の長さと太さを変更するものの、分岐管を利用するか否かを切換えるだけであるため、中回転域において、トルクカーブの谷間ができドライブフィーリングが悪化するという第一の問題がある。
【０００７】
この問題に対しては、中回転域に脈動波を同調させたレゾネータ等を、別途設けることが考えられるが、吸気装置全体のレイアウトスペースが増加するため、適切な解決方法ではない。  
なお、特許文献１には、分岐管を、吸気音を低減するレゾネータとして構成する旨が記載されているが、分岐管の容積が小さいため、吸気を加給するためのレゾネータとして機能させることはできない。また、分岐管の上流側開口の位置も固定されるため、チューニング等により、中回転域に脈動波を同調させることもできない。
【０００８】
さらに、この特許文献１の場合には、高回転時に弁を開いて慣性効果を得ているが、サージタンクの容積は何ら変化しないため、慣性効果によって導入できる空気量は制限され、エンジン出力をさらに高めることができないという第二の問題もある。
【０００９】
この問題に対しては、さらに容積空間や弁を設けてサージタンク容量を、高回転時に増加させることも考えられるが、コストやレイアウトスペースが増加するため、この方法も適切な解決方法でない。
【００１０】
そこで、本発明は、吸気管の経路や太さを変更することで共鳴効果によって加給性能を高めるエンジンの吸気装置であって、コストやレイアウトスペースを増加させることなく、中回転域のトルクの落ち込みを防止してドライブフィーリングの悪化を防止して、また、高回転域でエンジン出力を高めることができるエンジンの吸気装置を提供することを目的とする。
【課題を解決するための手段】
【００１１】
この発明のエンジンの吸気装置は、気筒列方向に所定長さを有するサージタンク部と、該サージタンク部の長手方向に並んで各気筒に繋がる分岐管部と、該サージタンク部の長手方向の一端側に連通する上流吸気通路部とを備えるエンジンの吸気装置において、前記サージタンク部の分岐管部との連通側と反対側に、所定の容積を有する容積室を設け、前記上流吸気通路部の内部に、一方通路を前記サージタンク部の一端側に連通して、他方通路を前記容積室の一端側に連通する所定長さを有する分離隔壁を設け、前記容積室と前記サージタンク部との間に、両者の内部空間を、連通状態と非連通状態とに切替える切替え弁を設け、低回転域では前記サージタンク部と容積室とを非連通状態となるように切替え弁を制御し、前記一方通路からの吸気のみを気筒に送るように設定して、中回転域ではサージタンク部と容積室とを非連通状態となるように切替え弁を制御し、前記一方通路からの吸気を前記容積室の共鳴効果によって加給して気筒に送るように設定して、高回転域ではサージタンク部と容積室とを連通状態となるように切替え弁を制御し、一方通路と他方通路からの吸気を全て気筒に送るように設定した制御手段を設けたものである。
【００１２】
上記構成によれば、サージタンク部に隣接して所定容積を有する容積室を設けて、容積室とサージタンク部の連通状態と非連通状態を切替える切替え弁をエンジン回転数に応じて切替えるように制御することにより、低回転域では、一方通路とサージタンク部だけで細くて長い吸気通路を構成して、中回転域では、一方通路とサージタンク部だけで吸気通路を構成しつつ、容積室を吸気を加給するレゾネータとして機能させ、高回転域では、一方通路と他方通路とサージタンク部と容積室とによって、太くて短い吸気通路を構成することになる。  
このため、低回転域では、細くて長い吸気通路を介して吸気が流れることになり、吸気の脈動波が低回転域に同調して、共鳴効果によって加給性能を高めることができる。また、高回転域では、太くて短い吸気通路を介して吸気が流れることになり、慣性効果によって加給性能を高めることができる。  
そして、特に、中回転域では、容積室をレゾネータとして用いることで、共鳴効果によって加給性能を高めることができる。加えて、高回転域では、容積室をサージタンクとして用いることで、サージタンク容量が増加して慣性効果による加給性能をより高めることができる。  
よって、容積室と切替え弁を設けるだけで、レイアウトスペースやコストをさほど増加させることなく、エンジンの全回転域、特に中回転域と高回転域において、エンジンのトルクを高めることができる。  
なお、この吸気装置を取付けるエンジンは、Ｉ型４気筒エンジンであっても、Ｖ型６気筒エンジンであっても良い。また、切替え弁も、一般的なバタフライ型弁であっても良い。
【００１３】
この発明の一実施態様においては、前記容積室を、サージタンク部の長手方向に沿って並設して、前記切替え弁を、サージタンク部の長手方向に延びる軸線を中心に回動するロータリーバルブで構成したものである。  
上記構成によれば、容積室をサージタンク部の長手方向に並設することで、サージタンク部の長さを有効に利用して、容積室の容量を十分に確保しつつ、サージタンク部からの突出量を抑えることができる。また、切替え弁をロータリーバルブで構成したことで、一つのロータリーバルブだけで、容積室とサージタンク部の間の広い連通空間を開閉することができる。  
よって、容積室や切替え弁を、別途設けても、スペース的に大きくなることがなく、吸気装置をできるだけ全体的にコンパクトに構成することができる。
【００１４】
この発明の一実施態様においては、前記分岐管部を、Ｖバンクの一方のバンク用の第一分岐管部と、他方のバンク用の第二分岐管部とで構成し、該第一分岐管部と第二分岐管部を上下方向に重ねて配置し、前記サージタンク部を、一方のバンク用の第一サージバンク部と他方のバンク用の第二サージタンク部とで構成し、該第一サージタンク部と第二サージタンク部を仕切り壁を介して重ねて配置し、前記容積室を、第一サージタンク部と第二サージタンク部とで共用して１つで構成し、前記ロータリーバルブを１つで構成し、前記第一及び第二サージタンク部と容積室との間を遮断するように構成したものである。  
上記構成によれば、Ｖ型エンジンの吸気装置のうち、分岐管部とサージタンク部は、各バンクごとに設定しつつも、容積室とロータリーバルブについては、それぞれ１つで構成している。  
このため、容積室とロータリーバルブを、各バンクごとに設定しなくても、吸気装置の可変機構を構成することができる。  
よって、Ｖ型エンジンの吸気装置に、別途可変機構を設けても、吸気装置を全体としてコンパクトに構成することができる。
【００１５】
この発明の一実施態様においては、前記仕切り壁に、前記一方通路内に所定長さ上流側に延設する延設部を設けたものである。  
上記構成によれば、仕切り壁に延設部を設けることにより、第一サージタンク部と第二サージタンク部との間においても、上下方向に流れる脈動波を生じさせることができる。  
このため、低回転域において、第一サージタンク部と第二サージタンク部同士が、互いに他方のサージタンク部の加給を行なうレゾネータとして機能することになり、低回転域において共鳴効果によるトルク向上を図ることができる。  
よって、仕切り壁に延設部を設けることによって、さらに低回転域で共鳴効果を得ることができる。
【００１６】
この発明の一実施態様においては、上流吸気通路部に、上流側を気筒列方向と略直交する方向に屈曲させる屈曲部を形成して、該屈曲部の内周側に前記一方通路を配置して、該屈曲部の外周側に前記他方通路を配置したものである。  
上記構成によれば、屈曲部の内周側に一方通路を配置して、屈曲部の外周側に他方通路を配置することで、回転数によって変化する吸気の流速と流量に応じて、一方通路と他方通路に対して適切に吸気を案内することができる。  
すなわち、低回転域では、吸気速度が低く流量も少ないため、屈曲部の内周側に一方通路を位置させることで、流れが遅い吸気であっても確実に気筒に案内することができる。一方、高回転域では、吸気速度が高く流量も多いため、屈曲部の外周側に他方通路を位置させることで、流れが速い吸気を円滑に気筒に案内することができる。  
よって、各回転域に応じて適切に吸気を案内することができるため、全回転域において、適切に脈動波を発生させることができ、エンジンのトルクを高めることができる。
【発明の効果】
【００１７】
この発明によれば、中回転域では、容積室をレゾネータとして用いることで、共鳴効果によって加給性能を高めることができる。加えて、高回転域では、容積室をサージタンクとして用いることで、サージタンク容量が増加して慣性効果による加給性能をより高めることができる。
【００１８】
このため、容積室と切替え弁を設けるだけで、レイアウトスペースやコストをさほど増加させることなく、エンジンの全回転域、特に中回転域と高回転域において、エンジンのトルクを高めることができる。  
よって、吸気管の経路や太さを変更することで共鳴効果によって加給性能を高めるエンジンの吸気装置であって、コストやレイアウトスペースを増加させることなく、中回転域のトルクの落ち込みを防止してドライブフィーリングの悪化を防止して、また、高回転域でエンジン出力を高めることができる。
【発明を実施するための最良の形態】
【００１９】
本発明の実施形態について、以下、図面に基づいて詳述する。  
図１は本発明の実施形態に係るＶ型６気筒エンジン（以下エンジン）の吸気装置の一部断面を含む断面平面図、図２はこの吸気装置の切替え状態を示す断面平面図、図３は切替え弁であるロータリーバルブの単品斜視図、図４（ａ）（ｂ）、図５（ａ）（ｂ）は、それぞれ図１，図２におけるＡ−Ａ線、Ｂ−Ｂ線、Ｄ−Ｄ線、Ｄ−Ｄ線の各矢視断面図である。
【００２０】
この実施形態のエンジンの吸気装置ＩＮは、気筒列方向（図１で横方向）に延びるサージタンク部１と、このサージタンク部１から各気筒（図示せず）に繋がるように延びる６本のインテークマニホールド２ａ…，２ｂ…と、このインテークマニホールド２ａ…，２ｂ…の反対側に設けられるレゾネータ容積部３と、サージタンク部１の長手方向（気筒列方向）の一端に連通される上流吸気通路４と、その上流側に設けられるスロットルボディ５とを備える。
【００２１】
前述のサージタンク部１とレゾネータ容積部３は、図５（ａ）に示すように、一体成形された断面略楕円形状の筒状ボックス体１０で構成し、内部空間を壁板等によって仕切ることにより各部を形成している。具体的には、水平方向に延びる左右バンク仕切り板１１によって、上下空間を仕切り、上部空間を右バンク用サージタンク１Ａとして、下部空間を左バンク用サージタンク１Ｂとしてサージタンク部１を形成している。また、上下方向に円弧状に延びるロータリーバルブ６で左右空間を仕切って、図面左側空間をレゾネータ容積部３としている。
【００２２】
前述の右バンク用サージタンク１Ａには、図１に示すように、前述のインテークマニホールド２ａ…，２ｂ…のうち、３本が繋がっており、この３本で右バンク用インテークマニホールド２ａ…を構成している。一方、前述の左バンク用サージタンク１Ｂ（図１では図示せず）にも、残りの３本が繋がっており、この３本で左側バンク用のインテークマニホールド２ｂ…を構成している。
【００２３】
前述の上流吸気通路４は、略円筒状のパイプ材で形成しており、サージタンク部１とレゾネータ容積部３の気筒列方向の一側端（図面では右側端）に連通している。この上流吸気通路４には、その上流側４ａをサージタンク部１の気筒列方向（長手方向）と略直交する方向（図面では下方方向）に屈曲させる屈曲部４１を設けている。
【００２４】
また、上流吸気通路４の内部には、この屈曲部４１に沿って屈曲する分離隔壁７を形成している。この分離隔壁７は、上流吸気通路４を内周側通路８と外周側通路９に分離している。そして、この分離隔壁７により、内周側通路８の下流をサージタンク部１に連通させ、外周側通路９の下流をレゾネータ容積部３に連通させている。
【００２５】
この分離隔壁７の長さＬは、後述のように、レゾネータ容積部３の共鳴（脈動波の同調）が中回転域で生じる長さに設定している。この長さＬは、エンジンの排気量やインテークマニホールド２ａ…，２ｂ…の長さ、サージタンク部１の大きさ等により変化するため、各エンジンごとにチューニング（調整）するようにしている。
【００２６】
また、この分離隔壁７の断面形状は、図４（ａ）に示すように、円弧状に湾曲形成している。このように湾曲形成することにより、後述するロータリーバルブ６との合せ面での気密性を確保している。
【００２７】
さらに、この上流吸気通路４の内周側通路８内には、図１に示すように、左右バンク仕切り板１１から上流側に延びる延設部１１ａを設けている。この延設部１１ａは、図４（ｂ）に示すように、内周側通路８を上下に仕切っている。この延設部１１ａの長さＳも、低回転域で、脈動波が上下のサージタンク１Ａ，１Ｂの間で互いに共鳴（同調）する長さに設定している。この長さＳも分離隔壁７の場合と同様に、各エンジンごとにチューニング（調整）するようにしている。
【００２８】
前述のスロットルボディ５は、ドライバーのアクセルペダル（図示せず）の操作に応じて吸気装置ＩＮへの吸入空気量を増減させるように構成している。このスロットルボディ５はやや大きな構造体であるが、図１に示すように、上流吸気通路４が屈曲しているため、サージタンク部１の長手方向に大きく突出することなく、エンジンルーム内にコンパクトにレイアウトすることができる。
【００２９】
次に、ロータリーバルブ６の構造について、図３などを利用して詳細に説明する。  
ロータリーバルブ６は、図３に示すように、略半円筒状の曲面壁で構成したバルブ本体部６１と、バルブ本体部６１の両側端で上下方向に延びる支持腕部６２，６２と、支持腕部６２，６２の中央位置で外方に突出する２つの回動ピン部６３，６３とを備えている。
【００３０】
このロータリーバルブ６は、前述のサージタンク部１とレゾネータ容積部３を構成する筒状ボックス体１０の内部に設置されて、回動ピン部６２，６２の間を結ぶ回動軸線Ｑ（図３で一点差線で示す）を、中心にして回動するように設定している。
【００３１】
また、ロータリーバルブ６は、図１に示すように、この回動軸線Ｑを、サージタンク部１の長手方向に延びるように設置している。この図１では、バルブ本体部６１がサージタンク部１とレゾネータ容積部３の間に位置し、完全に両者の空間を仕切っている状態を示している。  
一方、図２では、バルブ本体部６１がレゾネータ容積部３側に回動して、レゾネータ容積部３とサージタンク部１の空間を連通した状態に示している（図５（ｂ）参照）。
【００３２】
このように、ロータリーバルブ６を回動させることで、サージタンク部１とレゾネータ容積部３の間を連通状態と非連通状態とを切替えるように構成している。
【００３３】
次に、この実施形態のロータリーバルブ６の開閉制御を行なう構造について、図６の制御ブロック図で説明する。  
この制御ブロックでは、入力手段として、エンジン回転数を検出するエンジン回転数センサ５１と、エンジン（図示せず）の吸入吸気量を検出するエアフローセンサ５２を備え、演算手段として、各センサ５１，５２に繋がったエンジン制御を行なうＥＣＵ（エンジン・コントロール・ユニット）５３を備え、出力手段として、ＥＣＵ５３からの信号を受けて前述のロータリーバルブ６を回動するアクチュエータ５４とを備えて構成している。  
なお、ここでのアクチュエータ５４としては、電動モータ、油圧モータ等が考えられる。
【００３４】
この制御ブロックでは、現在のエンジン回転数をエンジン回数センサ５１で読み込み、エアフローセンサ５２で検出した吸入空気量の数値により、ＥＣＵ５３でエンジン回転数が増加するか減少するのかの予測を行ない、ロータリーバルブ６の回動位置を演算出力している。そして、その演算結果により、ロータリーバルブ６をアクチュエータ５４によって回動するように構成している。
【００３５】
この実施形態では、中回転領域の所定回転数以上（例えば５０００ｒｐｍ以上）で、ロータリーバルブ６を開放（連通）して、サージタンク部１（１Ａ，１Ｂ）とレゾネータ容積部３を一体のサージタンクとして機能するように設定している。一方、中回転領域の所定回転数以下（例えば５０００ｒｐｍ以下）では、ロータリーバルブ６を閉鎖（非連通）して、サージタンク部１（１Ａ，１Ｂ）とレゾネータ容積部３を分離してサージタンク部１（１Ａ，１Ｂ）のみがサージタンクとして機能するように設定している（図５（ａ）（ｂ）参照）。
【００３６】
このように、所定回転数によってロータリーバルブ６の回動位置を切替えることにより、図７に示すようなトルク特性を得ることができる。図７のトルク特性図は、縦軸を出力トルク値として、横軸をエンジン回転数としたエンジンの出力トルク特性図である。
【００３７】
まず、低回転域では、第一トルクカーブＴ１によってエンジン出力を得ることができる。  
この低回転域では、ロータリーバルブ６が閉鎖されることから、吸気が内周側通路８だけに流れるため、吸気通路が細くて長いものとなり、吸気弁動作によって吸気通路内で発生する脈動波が低回転域に同調して共鳴効果が得られる。このため、第一トルクカーブＴ１に示すように、低回転域にトルクの山が生じることになる。
【００３８】
なお、破線で示したラインＴ１ａは、ロータリーバルブ６を閉じた状態で回転を上昇させた場合の第一トルクカーブＴ１の仮想ラインであり、高回転域では、共鳴効果が得られずトルクが減少することが分かる。
【００３９】
また、中回転域では、第二トルクカーブＴ２によってエンジン出力を得ることができる。  
この中回転域では、図１で矢印で示すように、吸気通路内の脈動波がレゾネータ容積部３で反転することで、分離隔壁７を介して共鳴する。この共鳴効果によって、中回転域でも吸気を加給することができる。
【００４０】
すなわち、この分離隔壁７の長さＬを、チューニング（調整）することにより、レゾネータ容積部３と各気筒までの「距離」を変化させ、中回転域でトルクの山が生じるように共鳴効果を同調させることで、中回転域でトルクの増加を図ることができる。
【００４１】
さらに、高回転域では、第三トルクカーブＴ３によってエンジン出力を得ることができる。  
この高回転域では、図２で矢印で示すように、ロータリーバルブ６が開くことにより、吸気が内周側通路８からに流れるだけでなく、外周側通路９からも流れるため、吸気流量を大量に増加させることができる。さらに、サージタンクも、サージタンク部１だけでなくレゾネータ容積部３も含めた容積量となるため、大量の吸気を確保することができる。このため、高回転域で慣性効果が高まり、高回転域で吸気を加給することができる。
【００４２】
このように、本実施形態のエンジンの吸気装置ＩＮによると、低・中・高それぞれの回転域において、適切な加給効果を得ることができるため、トルクを高めることができる。よって、全回転域でエンジン出力を向上することができる。
【００４３】
次に、このように構成した本実施形態の作用効果について詳述する。  
この実施形態のエンジンの吸気装置ＩＮでは、サージタンク部１に隣接して所定の容積を有するレゾネータ容積部３を設け、上流吸気通路４の内部に内周側通路８をサージタンク部１の一端側に連通して外周側通路９をレゾネータ容積部３の一端側に連通する分離隔壁７を設け、レゾネータ容積部３とサージタンク部１との間に連通状態と非連通状態とに切替えるロータリーバルブ６を設けている。
【００４４】
そして、低回転域ではサージタンク部１とレゾネータ容積部３とを非連通状態となるようにロータリーバルブ６を制御し、内周側通路８からの吸気のみを気筒に送るように設定して、中回転域ではサージタンク部１とレゾネータ容積部３とを非連通状態となるようにロータリーバルブ６を制御し、内周側通路８からの吸気をレゾネータ容積部３の共鳴効果によって加給して気筒に送るように設定して、さらに、高回転域ではサージタンク部１とレゾネータ容積部３とを連通状態となるようにロータリーバルブ６を制御し、内周側通路８と外周側通路９からの吸気を全て気筒に送るように設定している。
【００４５】
このため、低回転域では、細くて長い吸気通路を介して吸気が流れるため、吸気の脈動波が低回転域に同調して、共鳴効果によって加給性能を高めることができる。また、高回転域では、太くて短い吸気通路を介して吸気が流れるため、慣性効果によって加給性能を高めることができる。  
そして、特に、中回転域では、レゾネータ容積部３をレゾネータとして用いることで、共鳴効果によって加給性能を高めることができる。加えて、高回転域では、レゾネータ容積部３をサージタンクとして用いることで、サージタンク容量が増加して慣性効果による加給性能をより高めることができる。  
このため、レゾネータ容積部３とロータリーバルブ６を設けるだけで、レイアウトスペースやコストをさほど増加させることなく、エンジンの全回転域、特に中回転域と高回転域において、エンジンのトルクを高めることができる。  
よって、吸気管の経路や太さを変更することで共鳴効果によって加給性能を高めるエンジンの吸気装置であって、コストやレイアウトスペースを増加させることなく、中回転域のトルクの落ち込みを防止してドライブフィーリングの悪化を防止して、また、高回転域でエンジン出力を高めることができる。
【００４６】
また、この実施形態では、レゾネータ容積部３を、サージタンク部１の長手方向に沿って並設して、ロータリーバルブ６を、サージタンク部１の長手方向に延びる回動軸線Ｑを中心に回動するように設置している。  
これにより、サージタンク部１の長さを有効に利用して、レゾネータ容積部３の容量を十分に確保しつつ、サージタンク部１からの突出量を抑えることができる。また、ロータリーバルブ６をサージタンク部１の長手方向に沿って並設したことで、一つのロータリーバルブ６だけで、レゾネータ容積部３とサージタンク部１の間の広い連通空間を開閉することができる。  
よって、レゾネータ容積部３やロータリーバルブ６を、新たに設けても、スペース的に大きくなることがなく、エンジンの吸気装置をできるだけ全体的にコンパクトに構成することができる。
【００４７】
また、この実施形態では、インテークマニホールド２ａ…，２ｂ…を、Ｖバンクの右バンク用のインテークマニホールド２ａ…と、左バンク用のインテークマニホールド２ｂ…とで構成し、この右バンク用のインテークマニホールド２ａ…と左バンク用のインテークマニホールド２ｂ…を上下方向に重ねて配置し、サージタンク部１を、右バンク用サージタンク１Ａと左バンク用サージタンク１Ｂとで構成し、この右バンク用サージタンク１Ａと左バンク用サージタンク１Ｂを左右バンク仕切り板１１を介して重ねて配置し、レゾネータ容積部３を、右バンク用サージタンク１Ａと左バンク用サージタンク１Ｂとで共用して１つで構成し、ロータリーバルブ６を１つで構成し、左バンク用サージタンク１Ｂ及び右バンク用サージタンク１Ａとレゾネータ容積部３との間を遮断するように構成している。  
これにより、Ｖ型エンジンの吸気装置のうち、インテークマニホールド２ａ…，２ｂ…とサージタンク部１は、各バンクごとに設定しつつも、レゾネータ容積部３とロータリーバルブ６については、それぞれ１つで構成している。  
このため、レゾネータ容積部３とロータリーバルブ６を、各バンクごとに設定しなくても、吸気装置の可変機構を構成することができる。  
よって、Ｖ型エンジンの吸気装置に、新たに可変機構を設けても、エンジンの吸気装置を全体としてコンパクトに構成することができる。
【００４８】
また、この実施形態では、左右バンク仕切り板１１に、内周側通路８内に所定長さ上流側に延設する延設部１１ａを設けている。  
これにより、右バンク用サージタンク１Ａと左バンク用サージタンク１Ｂとの間においても、上下方向に流れる脈動波を生じさせることができる。  
このため、低回転域において、右バンク用サージタンク１Ａと左バンク用サージタンク１Ｂ同士が、互いに他方のサージタンクの加給を行なうレゾネータとして機能することになり、低回転域において共鳴効果によるトルク向上を図ることができる。  
よって、さらに低回転域で共鳴効果を得ることができる。
【００４９】
また、この実施形態では、上流吸気通路４に、上流側を気筒列方向と略直交する方向に屈曲させる屈曲部４１を形成して、この屈曲部４１の内周側に内周側通路８を配置して、屈曲部４１の外周側に外周側通路９を配置している。  
これにより、回転数によって変化する吸気の流速と流量に応じて、内周側通路８と外周側通路９に対して、適切に吸気を案内することができる。  
すなわち、低回転域では、吸気速度が低く流量も少ないため、屈曲部４１の内周側に内周側通路８を位置させることで、流れの遅い吸気であっても確実に気筒に案内することができる。一方、高回転域では、吸気速度が高く流量も多いため、屈曲部４１の外周側に外周側通路９を位置させることで、流れの速い吸気を円滑に気筒に案内することができる。  
よって、各回転域に応じて適切に吸気を案内することができるため、全回転域において、適切に脈動波を発生させることができ、エンジンのトルクを高めることができる。
【００５０】
なお、以上の実施形態では、Ｖ型６気筒エンジンの吸気装置で説明したが、本発明は、必ずしもＶ型エンジンの吸気装置に限定されるものではなく、例えば、Ｉ型4気筒エンジンなどのＩ型エンジンの吸気装置であっても良く、水平対抗エンジンの吸気装置等であってもよい。
【００５１】
また、本実施形態では、ロータリーバルブ６で、切替え弁を構成しているが、その他一般的なバタフライ型の弁で切替え弁を構成しても良い。
【００５２】
以上、この発明の構成と、前述の実施形態との対応において、
この発明の分岐管部は、実施形態のインテークマニホールド２ａ…，２ｂ…に対応し
以下、同様に
上流吸気通路部は、上流吸気通路４に対応し、
容積室は、レゾネータ容積部３に対応し、
切替え弁は、ロータリーバルブ６に対応し、
制御手段は、ＥＣＵ５３に対応し、
第一サージタンク部は、右バンク用サージタンク１Ａに対応し、
第二サージタンク部は、左バンク用サージタンク１Ｂに対応し、
仕切り壁は、左右バンク仕切り板１１に対応するも、
この発明は、前述の実施形態に限定されるものではなく、あらゆるエンジンの吸気装置に適用する実施形態を含むものである。
【図面の簡単な説明】
【００５３】
【図１】本実施形態に係る吸気装置の一部断面を含む断面平面図。
【図２】吸気装置の切替え状態を示す断面平面図。
【図３】切替え弁であるロータリーバルブの単品斜視図
【図４】（ａ）Ａ−Ａ線矢視断面図、（ｂ）Ｂ−Ｂ線矢視断面図。
【図５】（ａ）Ｃ−Ｃ線矢視断面図、（ｂ）Ｄ−Ｄ線矢視断面図。
【図６】実施形態の制御ブロック図。
【図７】本実施形態のトルク特性図。
【符号の説明】
【００５４】
ＩＮ…吸気装置
１…サージタンク部
３…レゾネータ容積部
４…上流吸気通路
６…ロータリーバルブ
７…分離隔壁
８…内周側通路
９…外周側通路
５３…ＥＣＵ
【図１】
2008169696.tif 000003
【図２】
2008169696.tif 000004
【図３】
2008169696.tif 000005
【図４】
2008169696.tif 000006
【図５】
2008169696.tif 000007
【図６】
2008169696.tif 000008
【図７】
2008169696.tif 000009